【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
所定の間隔をおいて平行に配置した第１の棒（２）及び第２の棒（３）と、同じく所定の間隔をおいて平行に配置し、かつ第１の棒（２）と第２の棒（３）とのそれぞれの端部寄りに組み付けた第３の棒（４）及び第４の棒（５）とにより、略額縁状に形成したかせ枠体（１）を用い、
前記かせ枠体（１）の第１の棒（２）及び第２の棒（３）の外周に、中空糸膜（９）をトラバースさせながらループ状に巻き付けて、該中空糸膜（９）の長さ方向（Ｚ−Ｚ′）と直交する一方向（Ｘ−Ｘ′）に中空糸膜（９）を多数配列させ、かつ中空糸膜（９）同士を積層した中空糸膜束（１０）を形成した後、
前記かせ枠体（１）の第１の棒（２）及び第２の棒（３）に巻き付けた中空糸膜束（１０）の巻き曲がり部分（１１），（１２）を、樹脂ケース（１３），（１５）内に各別にそれぞれ収納して、液状の固定用樹脂（１４），（１６）を該樹脂ケース（１３），（１５）内に注入し、前記中空糸膜束（１０）の巻き曲がり部分（１１），（１２）を前記液状の固定用樹脂（１４），（１６）にて浸漬し、これを硬化させて固定用硬化樹脂層（１４’），（１６’）にしてから、前記樹脂ケース（１３），（１５）を取り除き、
次いで、前記各固定用硬化樹脂層（１４’），（１６’）の部分内と、中空糸膜束（１０）の巻き曲がり部分（１１），（１２）内と、第１の棒（２）の部分内と第２の棒（３）の部分内とを、中空糸膜（９）の長さ方向（Ｚ−Ｚ′）と直交する一方向（Ｘ−Ｘ′）に同時に切断し、これらの切断片を取り除くことにより、前記中空糸膜（９）の開口端面を残存する固定用硬化樹脂層（１４’），（１６’）内にて露出させ、
更に、前記残存する固定用硬化樹脂層（１４’），（１６’）の部分内と、残存する第１の棒（２）の部分内及び第２の棒（３）の部分内と、第３の棒（４）及び第４の棒（５）とを、中空糸膜（９）の長さ方向（Ｚ−Ｚ′）に直交する方向の約１／２の位置にて、中空糸膜（９）の長さ方向（Ｚ−Ｚ′）に同時に切断し、
しかる後に、残存するかせ枠体（１）を除去することにより、２体の中空糸膜束を得ることを特徴とする
中空糸膜モジュールの製造方法。
【請求項２】
所定の間隔をおいて平行に配置した第１の棒（２）及び第２の棒（３）と、同じく所定の間隔をおいて平行に配置し、かつ第１の棒（２）と第２の棒（３）とのそれぞれの端部寄りに、取り外し可能に組み付けた第３の棒（４）及び第４の棒（５）とにより、略額縁状に形成したかせ枠体（１）を用い、
前記かせ枠体（１）の第１の棒（２）及び第２の棒（３）の外周に、中空糸膜（９）をトラバースさせながらループ状に巻き付けて、中空糸膜（９）の長さ方向（Ｚ−Ｚ′）と直交する一方向（Ｘ−Ｘ′）に中空糸膜（９）を多数配列させ、かつ中空糸膜（９）同士を積層して中空糸膜束（１０）を形成した後、
前記かせ枠体（１）の第１の棒（２）及び第２の棒（３）から、第３の棒（４）と第４の棒（５）とをそれぞれ取り外し、
前記かせ枠体（１）の第１の棒（２）及び第２の棒（３）に巻き付けた中空糸膜束（１０）の巻き曲がり部分（１１），（１２）を、樹脂ケース（１３），（１５）内に各別にそれぞれ収納して、液状の固定用樹脂（１４），（１６）を該樹脂ケース（１３），（１５）内に注入し、前記中空糸膜束（１０）の巻き曲がり部分（１１），（１２）を前記液状の固定用樹脂（１４），（１６）にて浸漬し、これを硬化させて固定用硬化樹脂層（１４’），（１６’）にしてから、前記樹脂ケース（１３），（１５）を取り除き、
次いで、前記各固定用硬化樹脂層（１４’），（１６’）の部分内と、中空糸膜束（１０）の巻き曲がり部分（１１），（１２）内と、第１の棒（２）の部分内と第２の棒（３）の部分内とを、中空糸膜（９）の長さ方向（Ｚ−Ｚ′）と直交する一方向（Ｘ−Ｘ′）に同時に切断し、これらの切断片を取り除くことにより、前記中空糸膜（９）の開口端面を残存する固定用硬化樹脂層（１４’），（１６’）内にて露出させ、
更に、前記残存する固定用硬化樹脂層（１４’），（１６’）の部分内と、残存する第１の棒（２）の部分内及び第２の棒（３）の部分内とを、中空糸膜（９）の長さ方向（Ｚ−Ｚ′）に直交する方向の約１／２の位置にて、中空糸膜（９）の長さ方向（Ｚ−Ｚ′）に同時に切断し、
しかる後に、残存するかせ枠体（１）を除去することにより、２体の中空糸膜束を得ることを特徴とする
中空糸膜モジュールの製造方法。
【請求項３】
前記かせ枠体（１）の第１の棒（２）の内側と第２の棒（３）の内側とに、予めそれぞれ仕切り板（６），（７）を設けておき、
前記かせ枠体（１）の第１の棒（２）及び第２の棒（３）に巻き付けた中空糸膜束（１０）の巻き曲がり部分（１１），（１２）を、樹脂ケース（１３），（１５）内に各別にそれぞれ収納して、液状の固定用樹脂（１４），（１６）を該樹脂ケース（１３），（１５）内に注入し、前記中空糸膜束（１０）の巻き曲がり部分（１１），（１２）を前記液状の固定用樹脂（１４），（１６）にて浸漬し、これを硬化させて固定用硬化樹脂層（１４’），（１６’）にしてから、前記樹脂ケース（１３），（１５）を取り除き、
次いで、前記各固定用硬化樹脂層（１４’），（１６’）の部分内と、中空糸膜束（１０）の巻き曲がり部分（１１），（１２）内と、仕切り板（６），（７）の部分内とを、中空糸膜（９）の長さ方向（Ｚ−Ｚ′）と直交する一方向（Ｘ−Ｘ′）に切断し、これらの切断片を取り除くことにより、前記中空糸膜（９）の開口端面を残存する固定用硬化樹脂層（１４’），（１６’）内にて露出させ、
更に、前記残存する固定用硬化樹脂層（１４’），（１６’）の部分内と、仕切り板（６），（７）の部分内を、中空糸膜（９）の長さ方向（Ｚ−Ｚ′）に直交する方向の約１／２の位置にて、中空糸膜（９）の長さ方向（Ｚ−Ｚ′）に同時に切断し、
しかる後に、残存するかせ枠体（１）を除去することにより、２体の中空糸膜束を得ることを特徴とする
請求項１又は２に記載の中空糸膜モジュールの製造方法。
【請求項４】
前記かせ枠体（１）の第１の棒（２）の内側と第２の棒（３）の内側とに、予めそれぞれ仕切り板（６），（７）を設けておき、
前記かせ枠体（１）の第１の棒（２）及び第２の棒（３）に巻き付けた中空糸膜束（１０）の巻き曲がり部分（１１），（１２）を、樹脂ケース（１３），（１５）内に各別にそれぞれ収納して、液状の固定用樹脂（１４），（１６）を該樹脂ケース（１３），（１５）内に注入し、前記中空糸膜束（１０）の巻き曲がり部分（１１），（１２）を前記液状の固定用樹脂（１４），（１６）にて浸漬し、これを硬化させて固定用硬化樹脂層（１４’），（１６’）にしてから、前記樹脂ケース（１３），（１５）を取り除き、
次いで、前記各固定用樹脂層（１４’），（１６’）の部分内と、中空糸膜束（１０）の巻き曲がり部分（１１），（１２）内と、仕切り板（６），（７）の部分内とを、中空糸膜（９）の長さ方向（Ｚ−Ｚ′）と直交する一方向（Ｘ−Ｘ′）に同時に切断し、これらの切断片を取り除くことにより、前記中空糸膜（９）の開口端面を残存する固定用硬化樹脂層（１４’），（１６’）内にて露出させ、
更に、残存する仕切り板（６），（７）を取り除くことにより、２体の中空糸膜束を得ることを特徴とする
請求項１又は２に記載の中空糸膜モジュールの製造方法。
【請求項５】
前記仕切り板（６），（７）が、ポリエチレン樹脂製であることを特徴とする、請求項３に記載の中空糸膜モジュールの製造方法。
【手続補正２】
【補正対象書類名】明細書
【補正対象項目名】００１０
【補正方法】変更
【補正の内容】
【００１０】
又、本発明の中空糸膜モジュールの製造方法は、所定の間隔をおいて平行に配置した第１の棒（２）及び第２の棒（３）と、同じく所定の間隔をおいて平行に配置し、かつ第１の棒（２）と第２の棒（３）とのそれぞれの端部寄りに、取り外し可能に組み付けた第３の棒（４）及び第４の棒（５）とにより、略額縁状に形成したかせ枠体（１）を用い、前記かせ枠体（１）の第１の棒（２）及び第２の棒（３）の外周に、中空糸膜（９）をトラバースさせながらループ状に巻き付けて、中空糸膜（９）の長さ方向（Ｚ−Ｚ′）と直交する一方向（Ｘ−Ｘ′）に中空糸膜（９）を多数配列させ、かつ中空糸膜（９）同士を積層して中空糸膜束（１０）を形成した後、前記かせ枠体（１）の第１の棒（２）及び第２の棒（３）から、第３の棒（４）と第４の棒（５）とをそれぞれ取り外し、前記かせ枠体（１）の第１の棒（２）及び第２の棒（３）に巻き付けた中空糸膜束（１０）の巻き曲がり部分（１１），（１２）を、樹脂ケース（１３），（１５）内に各別にそれぞれ収納して、液状の固定用樹脂（１４），（１６）を該樹脂ケース（１３），（１５）内に注入し、前記中空糸膜束（１０）の巻き曲がり部分（１１），（１２）を前記液状の固定用樹脂（１４），（１６）にて浸漬し、これを硬化させて固定用硬化樹脂層（１４’），（１６’）にしてから、前記樹脂ケース（１３），（１５）を取り除き、次いで、前記各固定用硬化樹脂層（１４’），（１６’）の部分内と、中空糸膜束（１０）の巻き曲がり部分（１１），（１２）内と、第１の棒（２）の部分内と第２の棒（３）の部分内とを、中空糸膜（９）の長さ方向（Ｚ−Ｚ′）と直交する一方向（Ｘ−Ｘ′）に同時に切断し、これらの切断片を取り除くことにより、前記中空糸膜（９）の開口端面を残存する固定用硬化樹脂層（１４’），（１６’）内にて露出させ、更に、前記残存する固定用硬化樹脂層（１４’），（１６’）の部分内と、残存する第１の棒（２）の部分内及び第２の棒（３）の部分内とを、中空糸膜（９）の長さ方向（Ｚ−Ｚ′）に直交する方向の約１／２の位置にて、中空糸膜（９）の長さ方向（Ｚ−Ｚ′）に同時に切断し、しかる後に、残存するかせ枠体（１）を除去することにより、２体の中空糸膜束を得る中空糸膜モジュールの製造方法からなる。